(57)【要約】【課題】複数の周波数帯を利用し伝送容量を増すとともに、各クライアント２が伝播条件の違いや無線ＬＡＮシステムの運用条件の違いに対応して伝送速度を設定できることが可能な無線ＬＡＮシステムを提供する。【解決手段】アクセスポイント１は、自分と各々のクライアント２と第１および第２の周波数帯で通信可能な最高の伝送速度を測定する試験信号の送受信を行ってテーブル５に記録した伝送速度表と、同じくテーブル５に記録されている前記第１および第２の周波数帯に対して段階的に設定された伝送速度表とを比較・参照して、自分と前記各々のクライアントとの伝送速度を設定する。【選択図】　図２
2004140544.tif 000002
【特許請求の範囲】
【請求項１】
それぞれが１つ又は複数の端末機器と接続されている複数のクライアントと、この複数のクライアントと第１の周波数帯および第２の周波数帯のいずれかの伝送速度に従い無線ＬＡＮ通信を行うアクセスポイントとで構成される無線ＬＡＮシステムにおいて、
前記アクセスポイントは、
前記アクセスポイントから所定のクライアントを指定して、前記第１の周波数帯の複数の伝送速度の中から当該クライアントと通信可能な伝送速度を試験し、この試験を全てのクライアントに対して行う第１の試験手段と、
前記アクセスポイントから所定のクライアントを指定して、前記第２の周波数帯の複数の伝送速度の中から当該クライアントと通信可能な伝送速度を試験し、この試験を全てのクライアントに対して行う第２の試験手段と、
前記第１および第２の試験手段によって得られた伝送速度から、前記複数のクライアント毎に最適な伝送速度を決定して記憶する記憶手段とを有し、
前記アクセスポイントと各クライアントは、前記記憶手段に記憶した伝送速度に従い無線ＬＡＮ通信を行うことを特徴とする無線ＬＡＮシステム。
【請求項２】
前記アクセスポイントは、前記第１の試験手段が用いる前記第１の周波数帯の無線送受信部、および前記第２の試験手段が用いる第２の周波数帯の送受信部を更に具備することを特徴とする請求項１記載の無線ＬＡＮシステム。
【請求項３】
前記アクセスポイントは、前記複数のクライアント毎に前記第１および第２の試験手段によって得られた２つの伝送速度から伝送速度の速い方を選択して前記記憶手段に記憶することを特徴とする請求項１記載の無線ＬＡＮシステム。
【請求項４】
前記複数のクライアントは、前記第１の試験手段によって送信される第１の試験信号とその応答信号を送受信する前記第１の周波数帯の無線送受信部、および前記第２の試験手段によって送信される第２の試験信号とその応答信号を送受信する第２の周波数帯の送受信部を具備することを特徴とする請求項１記載の無線ＬＡＮシステム。
【請求項５】
それぞれが１つ又は複数の端末機器と接続されている複数のクライアントと、この複数のクライアントと第１の周波数帯および第２の周波数帯のいずれかの伝送速度に従い無線ＬＡＮ通信を行うアクセスポイントとで構成される無線ＬＡＮシステムの前記アクセスポイントであって、
前記アクセスポイントから所定のクライアントを指定して、前記第１の周波数帯の複数の伝送速度の中から当該クライアントと通信可能な伝送速度を試験し、この試験を全てのクライアントに対して行う第１の試験手段と、
前記アクセスポイントから所定のクライアントを指定して、前記第２の周波数帯の複数の伝送速度の中から当該クライアントと通信可能な伝送速度を試験し、この試験を全てのクライアントに対して行う第２の試験手段と、
前記第１および第２の試験手段によって得られた伝送速度から、前記複数のクライアント毎に最適な伝送速度を決定して記憶する記憶手段と
を具備することを特徴とする無線ＬＡＮシステムのアクセスポイント。
【請求項６】
それぞれが１つ又は複数の端末機器と接続されている複数のクライアントと、この複数のクライアントと第１の周波数帯および第２の周波数帯のいずれかの伝送速度に従い無線ＬＡＮ通信を行うアクセスポイントとで構成される無線ＬＡＮシステムの通信制御方法において、
前記アクセスポイントから所定のクライアントを指定して、前記第１の周波数帯の複数の伝送速度の中から当該クライアントと通信可能な伝送速度を試験し、この試験を全てのクライアントに対して行ない、
前記アクセスポイントから所定のクライアントを指定して、前記第２の周波数帯の複数の伝送速度の中から当該クライアントと通信可能な伝送速度を試験し、この試験を全てのクライアントに対して行ない、
前記２つの試験によって得られた伝送速度から、前記複数のクライアント毎に最適な伝送速度を決定してメモリに記憶し、
前記アクセスポイントと各クライアントは、前記メモリに記憶した伝送速度に従い無線ＬＡＮ通信を行うことを特徴とする無線ＬＡＮシステムの通信制御方法。
【発明の詳細な説明】
【０００１】
【発明の属する技術分野】
本発明は、無線ＬＡＮシステム、無線ＬＡＮシステムのアクセスポイントおよび通信制御方法に関する。
【０００２】
【従来の技術】
インターネットの利用が進むに従い、利用者に高速のアクセス回線を提供する手段として、ケーブルを敷設する必要が無い利点を生かし、高速のアクセス回線として無線ＬＡＮが採用されている。しかし、無線ＬＡＮが使用できる周波数の帯域には制限があり、多くの無線ＬＡＮ端末が同時に無線ＬＡＮにアクセスすると、スループットが低下する。そこで無線ＬＡＮを一つの周波数帯で運用すると周波数帯域が不足するため、新たな周波数帯を追加して運用する検討が行なわれている（例えば、特許文献１参照。）。
【０００３】
この無線ＬＡＮでは、同一エリヤ内で同時に設定可能なチャンネル数を増加させることを目的にしており、第１の周波数および第２の周波数の各周波数帯の各チャネルに試験電波を送信し、受信電力等を測定した結果から、妨害の少ないチャネルを選び出して通信チャネルに設定している。
【０００４】
この無線ＬＡＮでは、２つの異なる周波数帯で妨害に強く、通信可能チャネル数を増大出来るが、各無線ＬＡＮ端末におけるスループットの確保には対応出来ない問題があった。
【０００５】
また、別の例として、２つの周波数帯に対応可能な無線ＬＡＮがあるが、同時に２つの周波数を利用するのではなくいずれか一方の周波数を選択して通信するものであって、無線ＬＡＮ端末毎にそれぞれの周波数帯での伝送速度設定ができない（例えば、非特許文献１参照。）。
【０００６】
この様に、これまでの無線ＬＡＮでは、各無線ＬＡＮ端末で得られるスループットの設定が困難で、無線ＬＡＮ端末毎に伝播条件の違い等に対応して周波数帯や伝送速度を設定したり、無線ＬＡＮの運用条件に対応して伝送速度が設定できる通信サービスを提供できない問題があった。
【０００７】
【特許文献１】
特開２００２−３３７１３号公報　（第９頁、第４図）
【０００８】
【非特許文献１】
日経コミュニケーション２００２年７月１５日号，ｐ７７−７９
【０００９】
【発明が解決しようとする課題】
従来の無線ＬＡＮシステムでは、無線ＬＡＮ端末（以下クライアントと呼ぶ）の増加に対し、複数の周波数帯を利用し、伝送容量不足の解消を図ることが考えられているが、無線ＬＡＮ端末毎に伝播条件の違いや無線ＬＡＮの運用条件に対応して周波数帯および伝送速度を設定できない問題があった。
【００１０】
本発明は、上記問題を解決するためになされたもので、複数の周波数帯を利用し伝送容量を増すとともに、各クライアントが伝播条件の違いや無線ＬＡＮシステムの運用条件の違いに対応して伝送速度を設定できることが可能な無線ＬＡＮシステムおよびその通信制御方法を提供することを目的とする。
【００１１】
【課題を解決するための手段】
上記目的を達成するために、本発明の無線ＬＡＮシステムは、それぞれが１つ又は複数の端末機器と接続されている複数のクライアントと、この複数のクライアントと第１の周波数帯および第２の周波数帯のいずれかの伝送速度に従い無線ＬＡＮ通信を行うアクセスポイントとで構成される無線ＬＡＮシステムにおいて、前記アクセスポイントは、前記アクセスポイントから所定のクライアントを指定して、前記第１の周波数帯の複数の伝送速度の中から当該クライアントと通信可能な伝送速度を試験し、この試験を全てのクライアントに対して行う第１の試験手段と、前記アクセスポイントから所定のクライアントを指定して、前記第２の周波数帯の複数の伝送速度の中から当該クライアントと通信可能な伝送速度を試験し、この試験を全てのクライアントに対して行う第２の試験手段と、前記第１および第２の試験手段によって得られた伝送速度から、前記複数のクライアント毎に最適な伝送速度を決定して記憶する記憶手段とを有し、前記アクセスポイントと各クライアントは、前記記憶手段に記憶した伝送速度に従い無線ＬＡＮ通信を行うことを特徴とする。
【００１２】
また、本発明の無線ＬＡＮシステムのアクセスポイントは、それぞれが１つ又は複数の端末機器と接続されている複数のクライアントと、この複数のクライアントと第１の周波数帯および第２の周波数帯のいずれかの伝送速度に従い無線ＬＡＮ通信を行うアクセスポイントとで構成される無線ＬＡＮシステムの前記アクセスポイントであって、前記アクセスポイントから所定のクライアントを指定して、前記第１の周波数帯の複数の伝送速度の中から当該クライアントと通信可能な伝送速度を試験し、この試験を全てのクライアントに対して行う第１の試験手段と、前記アクセスポイントから所定のクライアントを指定して、前記第２の周波数帯の複数の伝送速度の中から当該クライアントと通信可能な伝送速度を試験し、この試験を全てのクライアントに対して行う第２の試験手段と、前記第１および第２の試験手段によって得られた伝送速度から、前記複数のクライアント毎に最適な伝送速度を決定して記憶する記憶手段とを具備することを特徴とする。
【００１３】
また、本発明の無線ＬＡＮシステムの通信制御方法は、それぞれが１つ又は複数の端末機器と接続されている複数のクライアントと、この複数のクライアントと第１の周波数帯および第２の周波数帯のいずれかの伝送速度に従い無線ＬＡＮ通信を行うアクセスポイントとで構成される無線ＬＡＮシステムの通信制御方法において、前記アクセスポイントから所定のクライアントを指定して、前記第１の周波数帯の複数の伝送速度の中から当該クライアントと通信可能な伝送速度を試験し、この試験を全てのクライアントに対して行ない、前記アクセスポイントから所定のクライアントを指定して、前記第２の周波数帯の複数の伝送速度の中から当該クライアントと通信可能な伝送速度を試験し、この試験を全てのクライアントに対して行ない、前記２つの試験によって得られた伝送速度から、前記複数のクライアント毎に最適な伝送速度を決定してメモリに記憶し、前記アクセスポイントと各クライアントは、前記メモリに記憶した伝送速度に従い無線ＬＡＮ通信を行うことを特徴とする。
【００１４】
【発明の実施の形態】
以下、図面を参照して本発明の実施の形態を説明する。
【００１５】
図１は、本発明の無線ＬＡＮシステムの実施の形態の構成を示すブロック図である。
【００１６】
図１において、無線ＬＡＮシステムは、特定のエリヤに設置され、アクセスポイント１、クライアント２（＃１〜＃ｎ）およびクライアント２（＃１〜＃ｎ）に接続される端末機器等４（＃１〜＃ｍ）を具備し、アクセスポイント１は、ネットワーク３と接続している。複数のクライアント２（＃１〜＃ｎ）は、自分に接続されている端末機器等４（＃１〜＃ｍ）との間でデータの送受信を行ない、更にそのデータを無線通信により、アクセスポイント１との間で送受信している。ただし、クライアント２には複数の端末機器等４が接続可能である。
【００１７】
ネットワーク３は、例えば、有線のＬＡＮが相当し、アクセスポイント１は、ネットワーク３に接続される装置（端末機器又はホストコンピュータ等）と複数のクライアント２（＃１〜＃ｎ）との間のデータを仲介するブリッジとして機能している。
【００１８】
クライアント２（例えば＃１）に接続されている端末機器等４（＃１）との間で送受信されるデータは、アクセスポイント１が収容しているクライアント２（例えば＃ｎ）に接続されている端末機器等４（＃ｍ）とアクセスポイント１を介して相互に送受信されるか、もしくは、アクセスポイント１からネットワーク３を介してホストコンピュータ、サーバ、他の端末機器等との間でデータが送受信される。
【００１９】
本発明の無線ＬＡＮシステムでは、伝送容量を増す為にアクセスポイント１が各クライアント２（＃１〜＃ｎ）と無線で通信する無線周波数は、例えば第１の周波数帯と第２の周波数帯のように複数の周波数帯を使用する。
【００２０】
そして、アクセスポイント１と各クライアント２（＃１〜＃ｎ）間の周波数帯は、アクセスポイント１の指定に従って、例えば、アクセスポイント１とクライアント２（＃１）では第１の周波数帯が設定され、またアクセスポイント１とクライアント２（＃ｎ）では第２の周波数帯を使う様にそれぞれ設定される。
【００２１】
第１、第２の周波数帯それぞれにおいては、これらの周波数帯の搬送波は変調されるが、変調方式により変調速度、即ち伝送速度が決まる。
【００２２】
そして、その変調可能な最高速度は、アクセスポイント１と各クライアント２（＃１〜＃ｎ）それぞれの通信（即ち、電波伝播）区間における伝播距離、反射、遮蔽等の電波伝播条件に伴って変化する受信電力強度、無線通信の相互干渉や妨害の有無による誤り発生等により、性能限界（即ち、伝送可能最高速度）が左右されるので、アクセスポイント１と各クライアント２（＃１〜＃ｎ）それぞれの伝送速度は異なることが多い。
【００２３】
従って、様々な電波伝播条件に対応し得るようにデータを伝送するための伝送速度は、第１、第２の周波数帯それぞれに対応して、幾つかの伝送速度が段階的に予め設定されている。そして、その伝送速度は、アクセスポイント１と各クライアント２（＃１〜＃ｎ）のそれぞれのコネクション（接続条件）毎に、例えば伝送速度を決めるための試験信号の送受信結果、もしくは初期設定等の手段により上述の段階的に設定された伝送速度から選択される。
【００２４】
図２は、本発明のアクセスポイント１の構成を示すブロック図で、アクセスポイント１は、第１の周波数帯に対する無線送受信部ＴＲＸ１、第２の周波数帯に対する無線送受信部ＴＲＸ２、通信制御部ＣＣ１、通信管理テーブル５、ＭＡＣ（メディア　アクセス　制御）部ＭＣ１、ネットワークインタフェースＩＦ１から構成されている。
【００２５】
また、図３は、本発明のクライアント２の構成を示すブロック図で、クライアント２は、第１の周波数帯に対する無線送受信部ＴＲＸ３、第２の周波数帯に対する無線送受信部ＴＲＸ４、通信制御部ＣＣ２、ＭＡＣ（メディア　アクセス　制御）部ＭＣ２、端末インタフェースＩＦ２から構成されている。
【００２６】
図４は、ＩＥＥＥ８０２．１１ａ、およびＩＥＥＥ８０２．１１ｂの標準を例にとって２つの周波数帯に対応して設定されている伝送速度を表にした図である。この伝送速度の表は、アクセスポイント１の通信管理テーブル５に周波数帯・伝送速度設定表５ａとして記録される。
【００２７】
ここでは、説明の便宜上２つの周波数帯を使用する例を説明するが、２つの周波数帯だけでなく、更に第３の周波数帯が追加される場合においても、方法、手順は同様である。
【００２８】
図４において、第１の周波数帯はＩＥＥＥ８０２．１１ｂ標準の２．４ＧＨｚ帯に相当し、伝送速度は、１１Ｍｂｐｓが最高で、以下、５．５Ｍｂｐｓ、２Ｍｂｐｓ、１Ｍｂｐｓと次第に伝送速度が下がる設定値となっている。また第２の周波数帯は、ＩＥＥＥ８０２．１１ａ標準の５ＧＨｚ帯に相当し、同様に伝送速度が、最高５４Ｍｂｐｓから最低６Ｍｂｐｓまで８つの段階に設定されている。
【００２９】
この伝送速度の設定においては、アクセスポイント１と各クライアント２（＃１〜＃ｎ）の間の電波伝播条件が悪い程、低い伝送速度に設定されるとしている。
【００３０】
以下、アクセスポイント１と各クライアント２（＃１〜＃ｎ）のそれぞれの動作を説明し、次に周波数帯と伝送速度を決定する通信制御方法について説明を行う。
【００３１】
図５は、ＩＥＥＥ８０２．１１ａおよびＩＥＥＥ８０２．１１ｂの標準を例に、アクセスポイント１と各クライアント２（＃１〜＃ｎ）との間で送受信されるパケットの構成を説明した図である。
【００３２】
アクセスポイント１と各クライアント２（＃１〜＃ｎ）との間は、図５のパケットデータに構成して試験信号もしくはメッセージ信号の送受信を行う。
【００３３】
無線で送受信されるパケットデータ（試験信号もしくはメッセージ信号）は、受信側で同期を取るためのＰＬＣＰプリアンブル（１００バイト程度）、物理層の動作を規定するパラメータを記述したＰＬＣＰヘッダ（２４バイト）、ＭＡＣ（Ｍｅｄｉａ　Ａｃｃｅｓｓ　Ｃｏｎｔｒｏｌ）メディア層の制御パラメータを記述したＭＡＣヘッダ（２４〜３０バイト）、メッセージデータ本体を搭載するデータフレーム（０〜２３１２バイト）、誤り制御のためのＦＣＳ（Ｆｒａｍｅ
Ｃｈｅｃｋ　Ｓｃｅｑｕｅｎｃｅ）フレーム（４バイト）等からなる。
【００３４】
ＰＬＣＰヘッダは更にＳＹＮＣ（１６バイト）、ＳＦＤ（２バイト）、シグナル（１バイト）、サービス（１バイト）、フレーム長（２バイト）、ＣＲＣ（２バイト）の各フィールドで構成される。
【００３５】
ＰＬＣＰプリアンブル、およびＰＬＣＰヘッダは、使用する周波数帯での最低の伝送速度（例えば第１の周波数帯では１Ｍｂｐｓ）で送信され、ＰＬＣＰヘッダのシグナルフィールドに、ＭＡＣヘッダおよびデータフレームの伝送速度が記述されている。
【００３６】
従って、試験信号や、メッセージ信号を受信したアクセスポイント１もしくはクライアント２は、このシグナルフィールドで指定された伝送速度でＭＡＣヘッダとデータのフレームを復調することが出来る。
【００３７】
図６は、アクセスポイント１と各クライアント２（＃１〜＃ｎ）の間で可能な最高伝送速度の測定を行う試験信号を送受信する基本手順を示したフローチャートである。
【００３８】
最初にその概念を述べると、無線ＬＡＮシステムは、システム起動時（アクセスポイント１の電源が投入されると）、まず、全てのクライアント２（＃１〜＃ｎ）との間で通信を行うための伝送速度を決定するためのアクセスポイント１からクライアント２（＃１〜＃ｎ）へ試験信号を順番に従って送信する。
【００３９】
即ち、アクセスポイント１と各クライアント２（＃１〜＃ｎ）との間で試験信号が送受信されることによって、アクセスポイント１では各クライアント２（＃１〜＃ｎ）との間でそれぞれの周波数帯における可能な最高の伝送速度が測定され、その結果がアクセスポイント１の通信管理テーブル５に測定データとして記録される。
【００４０】
そして、アクセスポイント１は、この通信管理テーブル５の測定データと、同じく通信管理テーブル５に記録されている速度設定データ、周波数・伝送速度設定表５ａの関係を参照して、各クライアント２との通信に用いる周波数帯と伝送速度を選定する。
【００４１】
以下に、図６を参照して、アクセスポイント１と各クライアント２（＃１〜＃ｎ）の機器動作と伝送速度の測定手順を説明する。
【００４２】
アクセスポイント１では、電源投入後に動作可能状態になると、まず通信制御部ＣＣ１は、クライアント２（＃１〜＃ｎ）に対する試験信号を作成する。
【００４３】
即ち、アクセスポイント１の通信制御部ＣＣ１は、ＭＡＣ部ＭＣ１と無線送受信部ＴＲＸ１に制御信号を送り、最初の送信先のアドレスとしてクライアント２（＃１）を設定し（図６のステップｓ１１）、周波数帯として第１の周波数帯を設定し（図６のステップｓ１２）、次に伝送速度を第１の周波数帯の最高伝送速度（１１Ｍｂｐｓ）に設定（図６のステップｓ１３）する制御を行う。また、通信制御部ＣＣ１は、テストパタン信号を送信する制御信号をＭＡＣ部ＭＣ１に送信する。
【００４４】
これを受けてＭＡＣ部ＭＣ１は、クライアント２（＃１）への試験信号としてＰＬＣＰヘッダの“シグナル”フィールドに伝送速度「１１Ｍｂｐｓ」の設定とＭＡＣヘッダに「試験信号」と送信先クライアント２（＃１）のアドレスの設定を行う。また、データフレームにメッセージの代わりに誤り測定の為のテストパタン信号（試験データ）を搭載した試験信号を作成して無線送受信部ＴＲＸ１に出力する。
【００４５】
アクセスポイント１の無線送受信部ＴＲＸ１は、通信制御部ＣＣ１から送信指示の制御信号を受け取り、且つＭＡＣ部ＣＣ１から上記の試験信号（パケットデータ）を受け取ると、第１の周波数帯の最高伝送速度（１１Ｍｂｐｓ）で試験信号の電波をアンテナから各クライアント２（＃１〜＃ｎ）に送信する（図６のステップｓ１４）。そして、通信制御部ＣＣ１は、クライアント２（＃１）からの応答を待つ（図６のステップｓ１５）。
【００４６】
一方、各クライアント２（ここでは上記説明＃１を例に取り説明する）は、当初待機状態にあるが（図６のステップｓ１６）、アクセスポイント１からの第１の周波数帯で送信された試験信号は、クライアント２（＃１）の無線送受信部ＴＲＸ３によって受信され、第１の周波数帯での最低伝送速度（この例では１Ｍｂｐｓ）でＰＬＣＰプリアンブルおよびＰＬＣＰヘッダの復調を始める。
【００４７】
すると、無線送受信部ＴＲＸ３は、試験信号のパケットの先頭に有って、第１の周波数帯での最低伝送速度で送信されているＰＬＣＰヘッダの“シグナル”フィールドから、アクセスポイント１が設定した伝送速度が最高速度の１１Ｍｂｐｓであると判断すると、ＭＡＣヘッダ以降の信号を１１Ｍｂｐｓで復調し、ＭＡＣ部ＭＣ２に復調した信号を出力する。
【００４８】
そして、ＭＡＣ部ＭＣ２は、ＭＡＣヘッダにあるアドレスを判読して（図６のステップｓ１７）、自分宛の信号であれば（図６のステップｓ１８がＹｅｓの場合）、更にその試験信号のデータフレームに設定されたテストパタン信号をクライアント２（＃１）が所有する誤り検出のためのテストパタンと照合して、試験信号の誤り率を測定する（図６のステップｓ１９）。
【００４９】
また、ステップｓ１８でクライアント２（＃１）は、送信先アドレスから自分宛の信号ではではないと判断した場合は、そのまま待機状態（ステップＳ１６）へ戻る。
【００５０】
そして、クライアント２（＃１）の通信制御部ＣＣ２は、モニタしていた試験信号の指定された伝送速度における誤り率の測定結果から、所定の誤り率（例えばビット誤り率が１万分の１以下）の基準に達していれば、ＭＡＣ部ＭＣ２にＡＣＫ応答をするよう指示する（図６のステップｓ２０がＹｅｓの場合）。
【００５１】
そして、ＭＡＣ部ＭＣ２は、ＭＡＣヘッダの送信先アドレスとして「アクセスポイント１」および送信元アドレスとして「自分のアドレス」、ならびに返送するメッセージとして「ＡＣＫ応答」を設定し、またＰＬＣＰヘッダの“シグナル”フィールドに受信に成功した「伝送速度（１１Ｍｂｐｓ）」を書き込んで、無線送受信部ＴＲＸ３にパケットを出力する。
【００５２】
クライアント２（＃１）の無線送受信部ＴＲＸ３は、通信制御部ＣＣ２からＡＣＫ応答を指示する制御信号を受け取り且つ、ＭＡＣ部ＭＣ２から上記のパケットを受け取ると、当該パケットのＰＣＬＰプリアンブルおよびＰＣＬＰヘッダを第１の周波数帯での最低伝送速度（この例では１Ｍｂｐｓ）で、またＭＡＣヘッダ以降のＡＣＫ応答を指定された伝送速度（１１Ｍｂｐｓ）でアクセスポイント１に送り返す（図６のステップｓ２１）。
【００５３】
また同時に、クライアント２（＃１）の通信制御部ＣＣ２は、その伝送速度をアクセスポイント１に送信する際の送信伝送速度として内部メモリに記憶する（図６のステップｓ２２）。
【００５４】
アクセスポイント１の無線送受信部ＴＲＸ１は、クライアント２（＃１）からあるＡＣＫ応答信号を受信すると、そのＡＣＫ応答信号のＰＬＣＰヘッダを最低伝送速度で復調してＰＬＣＰヘッダを判読し、又、ＭＡＣヘッダを“シグナル”フィールドで設定されている伝送速度（１１Ｍｂｐｓ）で復調して、そのパケットをＭＡＣ部ＭＣ１に出力する。
【００５５】
アクセスポイント１のＭＡＣ部ＭＣ１は、受け取ったパケットが自分宛のデータであることを確認すると、ＡＣＫ応答信号を送った送信元アドレス、即ち、クライアント２（＃１）のアドレスを通信制御部ＣＣ１に通知する。
【００５６】
すると、通信制御部ＣＣ１は、このＡＣＫ応答信号に設定されている伝送速度、即ち、第１の周波数帯の最高伝送速度（１１Ｍｂｐｓ）をクライアント２（＃１）の伝送速度として通信管理テーブル５に記録する（図６のステップｓ２４）。
【００５７】
通信管理テーブル５のクライアント毎の伝送速度測定表５ｂに記録した伝送速度が第１の周波数帯であることを確認すると（図６のステップｓ２５がＹｅｓの場合）、引き続きクライアント毎の伝送速度測定表５ｂの第２の周波数帯における最高伝送速度（５４Ｍｂｐｓ）を記録するための測定に着手する。
【００５８】
そしてアクセスポイント１の通信制御部ＣＣ１は、周波数帯を第２の周波数帯に設定し（図６のステップｓ２６）、伝送速度を第２の周波数帯の最高伝送速度（５４Ｍｂｐｓ）に設定した（図６のステップｓ２７）試験信号を再び各クライアント２（＃１〜＃ｎ）に送信する（図６のステップｓ１４）。
【００５９】
以降の処理は、第１の周波数帯での測定と同様なのでその説明は省略する。
【００６０】
一方、ステップｓ２０で、最初に第１の周波数帯の最高伝送速度（１Ｍｂｐｓ）で送信された試験信号をクライアント２（＃１）が受信したとき、所定の誤り率より悪い時は（図６のステップｓ２０がＮｏの場合）、クライアント２（＃１）の通信制御部ＣＣ２は、次の試験信号を待つことを示す制御信号を無線送受信部ＴＲＸ３とＭＡＣ部ＭＣ２に出力し、クライアント２（＃１）は待機状態に入っている。
【００６１】
また、ステップｓ１５でアクセスポイント１の通信制御部ＣＣ１は、クライアント２（＃１）からの応答を待ち状態から、一定時間待ってもクライアント２（＃１）からのＡＣＫ応答信号がないと設定した伝送速度（ここでは最高伝送速度）での通信は出来ないと判断する（図６のステップｓ１５がＮｏの場合）。
【００６２】
そして、アクセスポイント１の通信制御部ＣＣ１は、通信に失敗した第１の周波数の伝送速度より１段階伝送速度を下げた試験信号のパケットを生成して同様に送信する（図６のステップｓ２３）。
【００６３】
アクセスポイント１の通信制御部ＣＣ１は、クライアント２（＃１）からＡＣＫ信号を受け取るまでこれを繰り返し、クライアント２（＃１）からＡＣＫ応答信号のあった伝送速度を通信管理テーブル５に記録して（図６のステップｓ２４）、第２の周波数帯における最高伝送速度の測定（図６のステップｓ２６）に着手する。
【００６４】
もし、第１の周波数帯でクライアント２（＃１）から１回もＡＣＫ応答信号を受信できなければ、アクセスポイント１の通信制御部ＣＣ１は、クライアント２（＃１）とは第１の周波数帯では、通信不可と通信管理テーブル５のクライアント毎の伝送速度測定表５ｂに記録して第２の周波数帯における最高伝送速度の測定に着手する。（図６のステップｓ２６）
そして、第２の周波数帯においても、アクセスポイント１の無線送受信部ＴＲＸ２を用いて、第１の周波数帯の場合と同様の手順で、第２の周波数帯における、クライアント２（＃１）の伝送速度を測定し、その結果を通信管理テーブル５のクライアント毎の伝送速度測定表５ｂに記録する。
【００６５】
次にアクセスポイント１は、クライアント２（＃１）の伝送速度の記録が終了すると（図６のステップｓ２５がＮｏの場合）、残りのクライアント２（＃２〜＃ｎ）についても、同様の手順を繰り返してこの第１、第２の周波数帯での伝送速度を測定し、通信管理テーブル５のクライアント毎の伝送速度測定表５ｂに記録する。
【００６６】
図７は、アクセスポイント１と各クライアント２（＃１〜＃ｎ）の間で測定された伝送速度を通信管理テーブル５に記録した、クライアント毎の伝送速度測定表５ｂの図である。
【００６７】
なお、本実施例では、各クライアント２（＃１〜＃ｎ）の間の伝送速度の測定は、ユニキャストもしくはポーリングに類する方法で測定する方式を示したが、この他、最初に同報形式で一斉にクライアント２（＃１〜＃ｎ）を呼出す方式を採ってもよい。
【００６８】
アクセスポイント１は、各クライアント２（＃１〜＃ｎ）との伝送速度の調査を終えると、引き続いてこの通信管理テーブル５に記録された伝送速度測定表５ｂと周波数帯・伝送速度設定表５ａとを参照して、最終的に各クライアント２（＃１〜＃ｎ）との通信の接続（コネクション）に対して、伝送速度を設定する。
【００６９】
例えば、各クライアント２（＃１〜＃ｎ）で、それぞれが、自分の伝送可能な最高の速度でアクセスポイント１との通信を行う様に無線ＬＡＮシステムを動作させるので有れば、各クライアント２（＃１〜＃ｎ）は、クライアント毎の伝送速度測定表５ｂに記録された第１および第２の周波数帯のどちらか速い方の伝送速度をアクセスポイント１との通信速度に設定する。
【００７０】
即ち、図７の５ｂにおいて、例えば、各クライアント２（＃３）では、測定された伝送速度は第１の周波数帯で５．５Ｍｂｐｓ、第２の周波数帯では２４Ｍｂｐｓであったので、第２の周波数帯の２４Ｍｂｐｓがアクセスポイント１との伝送速度として設定される。
【００７１】
それらの各クライアント２（＃１〜＃ｎ）に対して設定されたアクセスポイント１との伝送速度は、最高伝送速度測定表５ｂと同様に通信管理テーブル５に各クライアント２（＃１〜＃ｎ）との間のクライアント・設定伝送速度表５ｃとして記録される。
【００７２】
図８は、アクセスポイント１と各クライアント２（＃１〜＃ｎ）との間で設定された伝送速度を記録した通信管理テーブル５のクライアント・設定伝送速度表５ｃの一例である。
【００７３】
このクライアント２（＃１〜＃ｎ）に対する設定伝送速度が通信管理テーブル５のクライアント・設定伝送速度表５ｃに設定されると、アクセスポイント１は直ちに、設定された伝送速度を各クライアント２（＃１〜＃ｎ）毎に通知する為、伝送速度を測定する時の試験信号と同様のパケットを生成して送信する。
【００７４】
即ち、各クライアント２（＃１〜＃ｎ）では、この伝送速度を通知するパケットを受信すると、その指定された伝送速度（即ちＰＬＣＰヘッダの“シグナル”フィールドに記載された伝送速度）を読み出して、アクセスポイント１に対して送信する伝送速度として内部メモリに記憶・設定する。
【００７５】
なお、上記の説明では伝送速度の測定は、アクセスポイント１からクライアント２（＃１〜＃ｎ）への下り方向についてのみ行っているが、クライアント２（＃１〜＃ｎ）からアクセスポイント１への上り方向での伝送速度の設定に付いては、原則として、下り方向に設定された伝送速度と同一の伝送速度を設定する。
【００７６】
もし、下り方向に比し、上り方向の電波伝播条件が悪く送信の伝送速度を遅くしなければならない場合は、メッセージ信号を送受信する手順において、アクセスポイント１が各クライアント２（＃１〜＃ｎ）から受信したデータの誤り率の測定によって行うアクセスポイント１からのＡＣＫ応答により伝送速度の設定変更を行う。
【００７７】
即ち、各クライアント２（ここでは、＃１）は、アクセスポイント１からの自分宛のＡＣＫ応答を受信できなければ、クライアント２（＃１）は、ＡＣＫ応答を受信するまで送信の伝送速度を設定値より下げる処理を行ない伝送速度を変更できるので、上り方向の伝送速度の測定は行なわない。
【００７８】
以下、アクセスポイント１と各クライアント２（＃１〜＃ｎ）との間の通信の伝送速度が設定され無線ＬＡＮシステムが定常的な運用状態となった後、データを送受信する場合、即ち、メッセージデータを送受信する場合の無線ＬＡＮシステムの動作について説明する。
【００７９】
本発明の無線ＬＡＮシステムでは、パケットデータを送受信する手順等は、通信制御部ＣＣ１（クライアント２ではＣＣ２）が制御する。この送受信制御手順については、例えばＩＥＥＥ８０２．１１ａ、ＩＥＥＥ８０２．１１ｂ等の標準に準じているので、その詳細な説明は省略するが、アクセスポイント１と各クライアント２（＃１〜＃ｎ）の動作概要は以下の通りである。
【００８０】
最初にアクセスポイント１が、ネットワーク３からデータを受け取り、クライアント２（＃１）に送信する場合を説明する。
【００８１】
アクセスポイント１において、ネットワークインタフェースＩＦ１がネットワーク３から受信したメッセージのデータは、レベル変換などを行ない、更にＴＣＰ／ＩＰ手順に従い、ＭＡＣ部ＭＣ１に出力される。
【００８２】
すると、ＭＡＣ部ＭＣ１は、そのデータに送信元「アクセスポイント１」および受信先「クライアント２（ここでは、＃３）」のアドレスと送信されるパケットデータがメッセージのデータであることをＭＡＣヘッダに設定し、又、同時に通信管理テーブル５のクライアント・設定伝送速度表５ｃに記載されているその通信相手のクライアント２（＃３）に設定された伝送速度「２４Ｍｂｐｓ」をＰＬＣＰヘッダの“シグナル”フィールドに設定したパケットデータを作成する。
【００８３】
そして、第２の周波数帯の「２４Ｍｂｐｓ」で送信するので無線送受信部ＴＲＸ２に、ベースバンドでパケット化されたデータ信号を出力する。次に無線送受信部ＴＲＸ２は、ＰＬＣＰプリアンブルとＰＬＣＰヘッダを第２の周波数帯の最低速度６Ｍｂｐｓで、またＭＡＣヘッダとメッセージのデータを２４Ｍｂｐｓの伝送速度で送信する。
【００８４】
クライアント２（＃１）では、このメッセージ信号（パケットデータ）を受信した無線送受信部ＴＲＸ４が復調した信号から、ＭＡＣヘッダ情報を読取り、自分向けのパケットデータと判断すると、２４Ｍｂｐｓのメッセージのデータをベースバンド信号に復調し、端末機器インタフェース４を介して端末機器等４（例えば＃３）へメッセージのデータを出力する。
【００８５】
また、クライアント２（＃３）は同時に、ＭＡＣヘッダにＡＣＫ応答を設定してＡＣＫ応答信号をアクセスポイント１に返送する。
【００８６】
次に、クライアント２（＃１）からアクセスポイント１にメッセージ信号のパケットデータを送信する場合を説明する。
【００８７】
クライアント２（＃３）において、端末機器インタフェースＩＦ２が端末機器等４から受信したメッセージのデータは、レベル変換などを行ない、更にＴＣＰ／ＩＰ手順に従い、ＭＡＣ部ＭＣ２に出力される。
【００８８】
すると、ＭＡＣ部ＭＣ２は、そのメッセージのデータに送信元「クライアント２（＃３）」および受信先「アクセスポイント１」のアドレスと送信パケットデータがメッセージのデータであることをＭＡＣヘッダに設定する。
【００８９】
又、アクセスポイント１から設定された「伝送速度」（例えば２４Ｍｂｐｓ）をＰＬＣＰヘッダのシグナルフィールドに設定したパケットデータを作成する。
【００９０】
そして、第２の周波数帯の２４Ｍｂｐｓで送信するので無線送受信部ＴＲＸ４に、ベースバンドでパケット化されたデータ信号を出力する。
【００９１】
そして無線送受信部ＴＲＸ４は、ＰＬＣＰプリアンブルとＰＬＣＰヘッダを第２の周波数帯の最低速度６Ｍｂｐｓで、またＭＡＣヘッダとメッセージのデータを２４Ｍｂｐｓの伝送速度で送信する。そしてこの時、クライアント２（＃３）の通信制御部ＣＣ２は、アクセスポイント１からのＡＣＫ応答信号を待つタイマを起動する。
【００９２】
アクセスポイント１では、このメッセージ信号（パケットデータ）を受信した無線送受信部ＴＲＸ２が復調した６ＭｂｐｓのＰＬＣＰヘッダから、ＭＡＣヘッダ情報を判読して、アクセスポイント１宛のデータ信号と判断すると、２４Ｍｂｐｓのメッセージ信号のパケットデータをベースバンド信号に復調し、端末機器インタフェース４を介して端末機器もしくはホストコンピュータ等へデータを出力する。また、アクセスポイント１は、同時に、ＭＡＣヘッダにＡＣＫ応答を設定したＡＣＫ応答信号をクライアント２（＃３）に返送する。
【００９３】
そしてクライアント２（＃３）はこのＡＣＫ応答信号を受信すると、送信作業を終了し、待機状態に入る。
【００９４】
ここでもし、アクセスポイント１でメッセージ信号（パケットデータ）が正しく受信できずアクセスポイント１から、クライアント２（＃３）がＡＣＫ応答を待っているタイマの設定時間内にＡＣＫ応答が返送されないと、クライアント２（＃３）の通信制御部ＣＣ２は、メッセージ信号の送信に失敗したと判断する。そして、クライアント２（＃３）の通信制御部ＣＣ２は、第２の周波数帯において伝送速度を２４Ｍｂｐｓより１段低く１８Ｍｂｐｓに設定し同じメッセージのデータをパケット化して再送信する。（この際当然、ＰＬＣＰヘッダの“シグナル”フィールドには「１８Ｍｂｐｓ」が設定される。）
そして、もし、再送信しても再びＡＣＫ応答の受信に失敗すれば、更に設定する伝送速度を下げてメッセージ信号を送信することをＡＣＫ応答が受信できるるまで繰り返すこと（フォールバック機能）によって、アクセスポイント１とクライアント２（＃１）との間の通信が電波伝播条件の影響で上下方向で伝送速度が異なる様な状態でも通信できるようにしている。
【００９５】
以上の様に、本発明では、アクセスポイント１が通信管理テーブル５を参照して各クライアント２（＃１〜＃ｎ）との伝送速度を設定することにより、各クライアント２（＃１〜＃ｎ）との伝播条件の違いに対応して無線ＬＡＮシステムを様々な伝送速度を設定し運用することが出来る。
【００９６】
即ち、通信管理テーブル５を参照して、図８の５ｃの例の如く出来る限り高いスループットでデータを通信できる様に、クライアント２（＃１〜＃ｎ）各々との通信区間毎で可能な最高の伝送速度に設定して通信させることができる一方、全てのクライアント２（＃１〜＃ｎ）で公平に同じ伝送速度で通信を行う様に、各クライアント２（＃１〜＃ｎ）との間の通信で可能な最高の伝送速度の内で最も低いクライアント２（例えば、５ｂの（＃５）の伝送速度（１Ｍｂｐｓ））に合わせた速度に制限して設定して通信することも出来る。
【００９７】
【発明の効果】
以上述べたように、本発明の無線ＬＡＮシステムによれば、アクセスポイントと各クライアントの間で試験通信した周波数帯と伝送速度を記録したテーブルと、それらの周波数帯において設定された伝送速度を記録したテーブルとを参照してアクセスポイントと各クライアントの伝送速度を設定することにより、複数の周波数帯を利用し、伝送容量不足の改善と、各クライアントに伝播条件の違いや無線ＬＡＮの運用条件等に対応して、多様な伝送速度を設定することができる。
【図面の簡単な説明】
【図１】本発明による無線ＬＡＮシステムの構成を示すブロック図。
【図２】本発明の無線ＬＡＮシステムのアクセスポイントの構成要素を示すブロック図。
【図３】本発明の無線ＬＡＮシステムのクライアントの構成要素を示すブロック図。
【図４】通信管理テーブルに記録された周波数帯・伝送速度設定表の例の図。
【図５】アクセスポイントとクライアントとの間で送受信されるパケットの構成を説明した図。
【図６】アクセスポイントとクライアントとの間で可能な最高伝送速度の測定を行う手順を示したフローチャート。
【図７】通信管理テーブルに記録された最高伝送速度測定表の例の図。
【図８】通信管理テーブルに記録されたクライアント・設定伝送速度表の例の図。
【符号の説明】
１　アクセスポイント
２　クライアント
３　ネットワーク
４　端末機器等
５　通信管理テーブル
５ａ　周波数帯・伝送速度設定表
５ｂ　クライアント毎の伝送速度測定表
５ｃ　クライアント・設定伝送速度表
ＴＲＸ１、ＴＲＸ２、ＴＲＸ３、ＴＲＸ４　無線送受信部
ＭＣ１、ＭＣ２　ＭＡＣ部
【図１】
2004140544.tif 000003
【図２】
2004140544.tif 000004
【図３】
2004140544.tif 000005
【図４】
2004140544.tif 000006
【図５】
2004140544.tif 000007
【図６】
2004140544.tif 000008
【図７】
2004140544.tif 000009
【図８】
2004140544.tif 000010